(57)【特許請求の範囲】
【請求項１】
車体に対をなすように設けた油圧式緩衝器にこれらの油圧式緩衝器とは別体の油圧装置を接続する油圧系に介装してこの油圧系の油通路を分断・連通する油圧式緩衝器用油圧管連結装置であって、前記油圧装置に一体的に設けた開閉弁からなる第１の弁と、油圧式緩衝器に設けた油圧管と、この油圧管の先端部に設けた開閉弁からなる第２の弁とを備え、この第２の弁を前記第１の弁に着脱可能に接続し、これら両弁が開いた状態で油圧式緩衝器と油圧装置とが互いに連通する構造としたことを特徴とする油圧式緩衝器用油圧管連結装置。
【請求項２】
請求項１記載の油圧式緩衝器用油圧管連結装置において、第１および第２の弁の弁体を弁ハウジングの弁孔に螺着させたねじによって形成し、油圧装置の長手方向の一端部に前記第１の弁をその軸線方向が前記長手方向と略直交するように設けるとともに、第２の弁を前記第１の弁における前記長手方向の外端部にこれら両弁の弁体どうしが略平行になるように着脱可能に接続したことを特徴とする油圧式緩衝器用油圧管連結装置。
【請求項３】
請求項２記載の油圧式緩衝器用油圧管連結装置において、第１の弁の弁孔と第２の弁の弁孔とを開口方向が略同じ方向を指向するように形成したことを特徴とする油圧式緩衝器用油圧管連結装置。
【請求項４】
請求項１記載の油圧式緩衝器用油圧管連結装置において、第２の弁を第１の弁に接続することによって両弁の弁体どうしが互いに押圧し合って開き、第２の弁を第１の弁から取外すことによって両弁体が閉じる構造としたことを特徴とする油圧式緩衝器用油圧管連結装置。
【発明の詳細な説明】
【０００１】
【発明の属する技術分野】
本発明は、例えば自動車の油圧式緩衝器と油圧装置とを接続する油通路を分断・連通可能に接続する油圧式緩衝器用油圧管連結装置に関するものである。
【０００２】
【従来の技術】
従来のこの種の油圧管連結装置としては、例えば特開平９−９５１１９号公報に開示されたものがある。この公報に示された油圧管連結装置は、自動車の車体に対をなすように設けた油圧式緩衝器と、これらの油圧式緩衝器を制御する油圧装置との間の油通路を分断・連通する構造を採っている。詳述すると、二つの油圧式緩衝器に緩衝器側の弁をそれぞれ接続するとともに、油圧装置に油圧装置側の弁を二つ接続し、二組の緩衝器側の弁と油圧装置側の弁とをそれぞれ着脱可能に接続している。
【０００３】
緩衝器側の弁と油圧装置側の弁は、ハウジングにこれを貫通するように油通路を形成し、ハウジングに螺着させたねじ式の弁体で前記油通路を開閉する構造を採っている。前記ハウジングは、他方の弁のハウジングを組合わせて連結用ボルトで締結させることによって、前記油通路が他方の弁の油通路に連通するように形成している。
【０００４】
すなわち、前記両弁を閉状態にすることによって、緩衝器および油圧装置の油圧系をそれぞれ密閉された状態に保つことができるから、油圧式緩衝器と油圧装置とを互いに接続する以前にこれらに個別に作動油を充填し、性能試験、調整作業などを実施することができる。性能試験や調整などを行い、緩衝器および油圧装置を車体に取付けた後に、前記両弁どうしを結合させて両弁を開けることによって、緩衝器側の油通路と油圧装置側の油通路とが連通し、これら両油圧機器が使用可能になる。
【０００５】
従来の油圧管連結装置は、例えば車体左側の油圧式緩衝器と油圧装置との間と、この油圧装置と車体右側の油圧式緩衝器との間にそれぞれ介装している。
【０００６】
【発明が解決しようとする課題】
しかるに、上述したように構成した従来の油圧管連結装置は、緩衝器側の弁と油圧装置側の弁とを互いに接続する作業や、これら両弁を分断させる作業の作業性が低いという問題があった。これは、車体右側の油圧式緩衝器と車体左側の油圧式緩衝器を一つの油圧装置に接続する構造を採る場合には、車体右側の油圧式緩衝器と油圧装置とを車体右側の油圧管連結装置によって接続するとともに、車体左側の油圧式緩衝器と前記油圧装置とを車体左側の油圧管連結装置によって接続しなければならず、緩衝器側の弁と油圧装置側の弁とからなる弁組立体が車幅方向の二箇所に配置されてしまうからである。
【０００７】
すなわち、緩衝器側の弁と油圧装置側の弁の接続あるいは分断作業を車体右側と車体左側の二箇所でそれぞれ実施しなければならないから、上述したように作業性が低くなってしまう。
【０００８】
また、前記弁組立体が油圧式緩衝器と油圧装置との間に位置する場合には、この弁組立体を車体に固定用ブラケットによって固定しなければならず、この固定作業の分だけ組付作業の工数が増大し、コストアップになってしまう。前記固定用ブラケットは、弁組立体を車体に強固に固定しなければならないから、大型のものを使用しなければならない。固定用ブラケットが大型になると、その分だけ材料費が高くなる。しかも、このような大型の固定用ブラケットは、車体側の他の部材との干渉を避けるために必ずしも最適な位置、すなわち弁組立体を油圧機器（油圧式緩衝器や油圧装置）に接続するための油圧管が最短になるような位置に配置することができない場合があり、このような場合には、前記油圧管を必要以上に長く形成しなければならず、油圧管の材料費も高くなってしまう。
【０００９】
本発明はこのような問題点を解消するためになされたもので、作業性を向上させるとともに材料費を低減させてコストダウンを図ることができる油圧式緩衝器用油圧管連結装置を提供することを目的とする。
【００１０】
【課題を解決するための手段】
本発明に係る油圧式緩衝器用油圧管連結装置は、油圧装置に一体的に設けた開閉弁からなる第１の弁と、車体に対をなすように設けた油圧式緩衝器にそれぞれ設けた油圧管と、この油圧管の先端部に設けた開閉弁からなる第２の弁とを備え、第２の弁を第１の弁に着脱可能に接続し、これら両弁が開いた状態で油圧式緩衝器と油圧装置とが連通する構造としたものである。
【００１１】
本発明によれば、複数の第２の弁を第１の弁に着脱させる作業を一箇所で行うことができる。
第１の弁は油圧装置に直接支持され、第２の弁は第１の弁に接続することによって第１の弁を介して前記油圧装置に支持される。車体に固定するのは第２の弁を油圧式緩衝器に接続する油圧管だけでよい。
従来のものに較べて第１の弁のハウジングが不要になるとともに、第１の弁を油圧装置に接続する油圧管が不要になる。
【００１２】
請求項２に記載した発明に係る油圧式緩衝器用油圧管連結装置は、上述した発明に係る油圧式緩衝器用油圧管連結装置において、第１および第２の弁の弁体を弁ハウジングの弁孔に螺着させたねじによって形成し、油圧装置の長手方向の一端部に前記第１の弁をその軸線方向が前記長手方向と略直交するように設けるとともに、第２の弁を前記第１の弁における前記長手方向の外端部にこれら両弁の弁体どうしが略平行になるように着脱可能に接続したものである。
【００１３】
この発明によれば、第１の弁が開閉する油通路と、第２の弁が開閉する油通路とを油圧装置の軸線方向に沿わせて形成することができ、第１の弁と第２の弁とを接続する構造が簡単になる。
油圧装置の軸線方向の一端部で前記軸線方向とは略直交する方向に延在する壁に第１の弁が設けられ、この壁の外端部に第２の弁が固定されるから、第２の弁を取付けるための座を広く形成することができる。
【００１４】
請求項３に記載した発明に係る油圧式緩衝器用油圧管連結装置は、請求項２記載の油圧式緩衝器用油圧管連結装置において、第１の弁の弁孔と第２の弁の弁孔とを開口方向が略同じ方向を指向するように形成したものである。
この発明によれば、第１の弁の開閉操作と第２の弁の開閉操作を同一方向から行うことができる。
【００１５】
請求項４に記載した発明に係る油圧式緩衝器用油圧管連結装置は、請求項１記載の油圧式緩衝器用油圧管連結装置において、第２の弁を第１の弁に接続することによって両弁の弁体どうしが互いに押圧し合って開き、第２の弁を第１の弁から取外すことによって両弁体が閉じる構造としたものである。
この発明によれば、専ら弁体を開閉させる作業を実施することなく、第１および第２の弁の連結作業・分断作業によって弁体が自動的に開閉する。
【００１７】
【発明の実施の形態】
第１の実施の形態
以下、本発明に係る油圧式緩衝器用油圧管連結装置の一実施の形態を図１ないし図７によって詳細に説明する。ここでは、自動車の前輪用懸架装置に用いる緩衝装置に本発明を適用する場合の形態について説明する。
【００１８】
図１はこの実施の形態による油圧式緩衝器用油圧管連結装置を備えた緩衝装置の構成を示す図で、同図（ａ）は油圧系全体を示す背面図、同図（ｂ）は油圧式緩衝器の構成図である。図２は調圧装置の平面図、図３は調圧装置の側面図で、同図はシリンダ部分を破断して描いてある。破断位置は図２中にIII−III線によって示している。
【００１９】
図４および図５は調圧装置上部の縦断面図で、図４は図２におけるIV−IV線断面図、図５は図２におけるV−V線断面図である。図６は第２の弁の横断面図で、同図は図３におけるVI−VI線断面図である。図７は第１の弁の横断面図で、同図は図３におけるVII−VII線断面図である。
【００２０】
これらの図において、符号１は自動車の前輪用油圧式緩衝装置を示す。この緩衝装置１は、左右の前輪（図示せず）とともに車体に対して上下方向に移動する例えば前輪懸架用リンク（図示せず）と車体のシャーシ（図示せず）側との間にそれぞれ介装する左右一対の油圧式緩衝器２，２と、車体に固定する油圧装置としての調圧装置３と、この調圧装置３と前記油圧式緩衝器２，２とをそれぞれ接続する一対の油圧管連結装置４，５とから構成している。
図１においては、油圧式緩衝器２の圧縮コイルばねや前輪用懸架装置の他の部材は省略している。
【００２１】
前記左右の油圧式緩衝器２，２は、同一の構造を採り、図１（ｂ）に示すように、作動油で満たされたシリンダ６内をピストン７によって上部油室８と下部油室９とに画成し、このピストン７に前記両油室８，９どうしを連通する絞り付き連通路１０を設けている。
【００２２】
前記調圧装置３は、図３に示すように、下部シリンダ１１および上部シリンダ１２からなるシリンダ１３内にフリーピストン１４を嵌挿してシリンダ１３内を高圧ガス室１５と油室とに画成し、この油室を、前記フリーピストン１４と一体的に設けた副ピストン１６によって右側油圧系用油室１７と左側油圧系油室１８とに画成する構造を採っている。前記副ピストン１６は、前記両油室１７，１８どうしを連通する絞り付き連通路１９を設けている。前記油室１７と油室１８は、フリーピストン１４とともに副ピストン１６が移動したときには容積が等しく増減するように形成している。
【００２３】
前記右側油圧系用油室１７に車体右側の油圧管連結装置４を介して車体右側の油圧式緩衝器２の前記下部油室９を連通させ、前記左側油圧系用油室１８に車体左側の油圧管連結装置５を介して車体左側の油圧式緩衝器２の下部油室９を連通させている。図１（ａ）は車体の後方から見た状態で描いてあり、同図において右側が車体右側になっている。
【００２４】
前記油圧管連結装置４，５は、図４〜図７に示すように、前記調圧装置３に一体的に設けた右側油圧管連結装置用の第１の弁２１、左側油圧管連結装置用の第１の弁２２と、緩衝器に設けた可撓性を有する耐圧ホースからなる右側油圧管連結装置用の油圧管２３、左側油圧管連結装置用の油圧管２４と、これらの油圧管２３，２４の先端部に設けた右側油圧管連結装置用の第２の弁２５、左側油圧管連結装置用の第２の弁２６とで構成している。
【００２５】
前記第２の弁２５，２６は、前記第１の弁２１，２２に上下方向に沿って着脱できるように形成し、第１の弁２１，２２に第２の弁２５，２６を取付けてこれら両弁を開けることによって、右側緩衝器２の下部油室９と調圧装置３の右側油圧系用油室１７とが連通し、左側緩衝器２の下部油室９と調圧装置３の左側油圧系用油室１８とが連通する構造を採っている。
【００２６】
このように構成した油圧式緩衝装置１は、油圧管連結装置４，５の前記両弁を接続状態として開き、油圧系全体に作動油を充填した状態で、左右の油圧式緩衝器２，２が同方向に作動するときには、各油圧式緩衝器２の絞り付き連通路１０のみで減衰力が生じる。また、左右の油圧式緩衝器２，２が互いに異なる方向へ作動したときには、副ピストン１６の絞り付き連通路１９で生じた減衰力が前記減衰力に加わる。このため、車体がピッチングあるいはバウンシングを起こすときには相対的に減衰力が小さく、車体がローリングを起こすときには相対的に減衰力が大きくなる。
【００２７】
次に、上述した油圧管連結装置４，５の構成を図４〜図７によって更に詳細に説明する。なお、車体右側の油圧管連結装置４と車体左側の油圧管連結装置５は同じ構造を採っているので、ここでは車体右側の油圧管連結装置４について説明する。車体右側の油圧管連結装置４に用いる部材に付した符号は、そのまま車体左側の油圧管連結装置５を構成する部材に当てはまる。
【００２８】
車体右側の油圧管連結装置４の第１の弁２１は、図５および図７に示すように、調圧装置３のシリンダ１３がハウジングを構成するように調圧装置３に一体的に設けている。この第１の弁２１は、シリンダ１３の軸線方向の一端部（図５においては上端部）で前記軸線方向とは略直交する方向に延在する壁１３ａに弁孔２７を前記軸線方向とは略直交する方向に穿設し、この弁孔２７にねじ式の弁体２８を螺着させることによって形成している。この実施の形態では、車体右側の油圧管連結装置４用の第１の弁２１と、車体左側の油圧管連結装置５用の第１の弁２２とを横方向（シリンダ１３の軸線方向とは直交する方向）に並べている。
【００２９】
前記弁孔２７は、シリンダ１３内の前記右側油圧系油室１７と第２の弁２５とを連通する油通路２９の一部を構成するように形成している。この油通路２９は、概ね前記シリンダ１３の軸線方向に沿って延びるように形成しており、弁孔２７の最奥部まで弁体２８を締込んだ状態で弁体２８によって閉塞される構造を採っている。
【００３０】
この油通路２９における弁孔２７と右側油圧系油室１７との間の部位は、上部シリンダ１２の周壁１２ａを貫通するように形成し、この油通路２９における右側油圧系油室１７とは反対側の端部は、シリンダ１３の軸線方向の一端に開口している。この開口部には、第１の弁２１に対して第２の弁２５を位置決めするための連結管３０を嵌合させている。図４および図５において連結管３０の周囲に設けた符号３１で示すものはシール部材である。
【００３１】
一方、車体左側の油圧管連結装置５の第１の弁２２においては、図４および図７に示すように、油通路２９における弁孔２７と左側油圧系油室１８との間を、シリンダ１３の軸心部の近傍でシリンダ１３の軸線方向に沿って延びるように形成している。
【００３２】
前記弁体２８は、一端部にねじを形成するとともに、他端部にテーパー面からなるシート面３２を形成し、弁孔２７の最奥部まで締込むことによって弁孔２７を閉塞する構造を採っている。弁体２８の前記一端部には、六角レンチ（図示せず）を嵌合させるための六角穴２８ａを形成し、弁体２８の途中には、弁体２８と弁孔２７の孔壁面との間をシールするためのシール部材３３を装着している。
【００３３】
この実施の形態では、弁体２８がシリンダ１３から抜け出るのを阻止するために、シリンダ１３にリング３４を弁孔２７が閉塞されるように嵌合させ、固定用ボルト３５（図３参照）によって固定している。このリング３４における弁孔２７と対応する部分には、前記六角レンチを挿入するための穴３４ａを形成している。この穴３４ａは、雨水や塵埃などの異物が浸入するのを阻止するためにゴム製のキャップ３６を着脱自在に取付けている。
【００３４】
このように構成した第１の弁２１は、図示したように弁体２８を弁孔２７の最奥部まで締込むことにより閉状態になって油通路２９が閉塞され、弁体２８を図示した位置から緩めることによって、開状態になって右側油圧系油室１７と連結管３０とが油通路２９を介して連通するようになる。
【００３５】
車体右側の油圧管連結装置４の第２の弁２５は、図５および図６に示すように、ハウジング３７に穿設した弁孔３８にねじ式の弁体３９を螺着させた構造を採り、前記第１の弁２１におけるシリンダ１３の軸線方向の外端部に弁体２８，３９どうしが平行になるように着脱可能に接続している。
【００３６】
この実施の形態では、第１の弁２１の弁孔２７と第２の弁２５の弁孔３８の開口方向が同じ方向を指向するように第２の弁２５を取付けている。車体左側の油圧管連結装置５も、第１の弁２２の弁孔２７と第２の弁２６の弁孔３８の開口方向が同じ方向を指向するように第２の弁２６を取付けている。すなわち、計四つの弁孔２７，３８が同一方向を指向するように開口している。
【００３７】
第２の弁２５の前記弁孔３８は、第１の弁２１の連結管３０からハウジング側部の管継手４０まで延びる油通路４１の一部を構成するように形成している。前記管継手４０に前記油圧管２３の先端部を接続している。
【００３８】
前記弁体３９は、第１の弁２１の弁体２８と同じ構造を採っている。先端部のシート面を符号４２で示し、六角穴を符号４３で示し、Ｏリングを符号４４で示す。第２の弁２５の弁体３９がハウジング３７から抜け出るのを阻止するためには、この実施の形態では、弁孔３８の開口端部に装着したサークリップ４５とリング４６とによって行っている。弁孔３８の開口端には、ゴム製のキャップ４７を着脱自在に取付けている。
【００３９】
第２の弁２５の第１の弁２１（シリンダ１３）への固定は、図２および図４，５中に符号４８で示す押圧板と２本の固定用ボルト４９でハウジング３７を第１の弁２１（シリンダ１３）に締結させることによって行っている。この実施の形態では、右側油圧管連結装置４の第２の弁２５と、左側油圧管連結装置５の第２の弁２６とを一枚の押圧板４８で固定している。
【００４０】
この第２の弁２５によれば、図示したように弁体３９を弁孔３８の最奥部まで締込むことにより閉状態になって油通路４１が閉塞され、弁体３９を図示した位置から緩めることによって、開状態になって連結管３０内の通路と管継手４０内の通路とが油通路４１を介して連通する。
【００４１】
このように構成した油圧管連結装置４，５を備えた緩衝装置１を車体に組み付けるためには、先ず、車体の組立てラインとは別のラインで油圧式緩衝器２，２、調圧装置３をそれぞれ組立てる。このとき、調圧装置３に左右の油圧管連結装置４，５の第１の弁２１，２２をそれぞれ組付けるとともに、左右の油圧式緩衝器２に油圧管２３，２４を介して油圧管連結装置４，５の第２の弁２５，２６をそれぞれ接続する。
【００４２】
次に、左右の油圧管連結装置４，５の第２の弁２５，２６を第１の弁２１，２２にそれぞれ取付ける。その後、全ての弁体２８，３９を開位置に移動させ、油圧系に作動油を注入する。弁体２８，３９を開けるためには、弁孔２７，３８からキャップ３６，４７を取外した状態で弁孔２７，３８に六角レンチを挿入し、この六角レンチを弁体２８，３９の六角穴２８ａ，４３に嵌合させて回転させることによって行う。この操作は、弁孔２７，３８が開口する方向が一方向であるから、計４個の弁体２８，３９に対して同じ方向から行うことができる。
作動油を充填した後、従来通りの手法により油圧式緩衝器２の性能検査・減衰力調整を行う。
【００４３】
検査・減衰力調整が終了した後、全ての弁体２８，３９を全閉状態とする。このとき、第２の弁２５，２６の弁体３９を先に締込んで閉状態とし、次に第１の弁２１，２２の弁体２８を締込んで閉状態とする。この順に弁体２８，３９を締付けることにより、弁体２８，３９が突出することによって弁孔２７，３８から押出される作動油を調圧装置３側へ流すことができる。
【００４４】
その後、第２の弁２５，２６を第１の弁２１，２２から分離させる。このように分離作業を実施することにより、油圧系が油圧式緩衝器２側と調圧装置３側とに作動油を充填した状態で分離される。そして、油圧式緩衝器２と油圧管２３，２４および第２の弁２５，２６からなる組立体と、調圧装置３および第１の弁２１，２２とからなる組立体とを車体の組立てラインで個別に車体に取付ける。このときには、油圧式緩衝装置２、調圧装置３を車体に固定するとともに、油圧管２３，２４の途中を図１中に符号５０で示すブラケットによって車体に固定する。
【００４５】
そして、第２の弁２５，２６を調圧装置３側の第１の弁２１，２２に再度結合させ、全ての弁体２８，３９を開状態にする。このように弁体２８，３９を開けると、作動油は調圧装置３の高圧ガス室１５の圧力によって押圧されていることから、作動油が弁孔内における弁体が退去した部分に流れ込んでここを満たす。
【００４６】
このため、この油圧管連結装置４，５を使用することにより、油圧式緩衝器２に調圧装置３を接続して作動油の充填、性能検査・減衰力調整作業を行った状態を維持しながら、これらの油圧機器を個々に車体に組み付けることができる。
なお、作動油の充填、性能検査・減衰力調整は、調圧装置３に第１の弁２１，２２を組込むとともに、油圧式緩衝器２に油圧管２３，２４を介して第２の弁２５，２６を接続した状態、すなわち、調圧装置３と油圧式緩衝器２が分断されている状態で行うこともできる。この場合には、調圧装置３と油圧式緩衝器２のそれぞれに対して作動油を充填し、性能検査・減衰力調整を実施した後に、油圧式緩衝器２および調圧装置３を車体に組付け、しかる後に第２の弁２５，２６を第１の弁２１，２２に接続する。
【００４７】
したがって、上述したように構成した油圧管連結装置４，５は、第１の弁２１，２２を調圧装置３に一体的に設けているから、車体右側の油圧管連結装置４の第２の弁２５と、車体左側の油圧管連結装置５の第２の弁２６を第１の弁２１，２２に対して着脱させる作業を調圧装置３の位置、すなわち一箇所で行うことができ、作業性を高くすることができる。
【００４８】
また、第１の弁２１，２２は調圧装置３に直接支持され、第２の弁２５，２６は第１の弁２１，２２に接続することによって第１の弁２１，２２を介して前記調圧装置３に支持されるから、従来に較べてこれら両弁を車体に固定する作業が不要になる。
【００４９】
さらに、第１の弁２１，２２と第２の弁２５，２６とを車体に固定するためのブラケットが不要になるとともに、車体に固定するのは第２の弁２５，２６を油圧式緩衝器２に接続する油圧管２３，２４だけでよいから、この油圧管連結装置４，５を使用するために用いるブラケットは、前記油圧管２３，２４を支えるための相対的に小さな油圧管用ブラケット５０のみになる。
さらにまた、従来に較べて第１の弁２１，２２のハウジングが不要になるとともに、第１の弁２１，２２を調圧装置３に接続する油圧管が不要になるから、部品数を低減することができる。
【００５０】
この油圧管連結装置４，５は、第１の弁２１，２２が開閉する油通路２９と、第２の弁２５，２６が開閉する油通路４１とを概ね調圧装置３の軸線方向に沿わせて形成することができるから、第１の弁２１，２２と第２の弁２５，２６とを接続する構造が簡単になる。
【００５１】
調圧装置３の軸線方向の一端部で前記軸線方向とは略直交する方向に延在する壁１３ａに第１の弁２１，２２を設け、この壁１３ａの外端部に第２の弁２５，２６を固定しているから、第２の弁２５，２６を取付けるための座を広く形成することができる。このため、第２の弁２５，２６を強固に第１の弁に取付けることができる。
【００５２】
さらに、この実施の形態による油圧管連結装置４，５は、第１の弁２１，２２の開閉操作と第２の弁２５，２６の開閉操作を同一方向から行うことができる。なお、車体右側の油圧管連結装置４の弁孔２７，３８と、車体左側の油圧管連結装置５の弁孔２７，３８は、開口方向が互いに反対方向を指向するように形成することもできる。この構造を採る場合には、車体右側の油圧管連結装置４の第１の弁２１と第２の弁２５とを同一方向から操作することができ、車体左側の油圧管連結装置５の第１の弁２２と第２の弁２６とを同一方向から操作することができる。上述した実施の形態で示したように計四箇所の弁孔２７，３８の開口方向を同一方向とする場合には、４個の弁２１，２２，２５，２６の開閉作業を同一方向から行うことができ、より一層開閉操作が簡単である。
【００５３】
この実施の形態では油圧管２３，２４を第２の弁２５，２６に接続するために管継手４０を使用した例を示したが、図８に示すように、油圧管２３，２４の先端部に接続部材５１をかしめによって固定し、この接続部材５１をハウジング３７にねじ込むことによって油圧管２３，２４を第２の弁２５，２６に接続する構造を採ることもできる。
【００５４】
さらに、この実施の形態では調圧装置３のシリンダ１３を下部シリンダ１１と上部シリンダ１２とに分割して形成した例を示したが、これら両シリンダ１１，１２は一体に形成することもできる。
【００５５】
第２の実施の形態
請求項４に記載した発明に係る油圧式緩衝器用油圧管連結装置の一実施の形態を図９ないし図１５によって詳細に説明する。
図９はこの実施の形態による油圧式緩衝器用油圧管連結装置を備えた緩衝装置の構成を示す図で、同図（ａ）は油圧系全体を示す背面図、同図（ｂ）は油圧式緩衝器の構成図である。図１０は調圧装置の平面図、図１１は調圧装置の側面図で、同図はシリンダ部分を破断して描いてある。破断位置は図１０中にXI−XI線によって示している。
【００５６】
図１２および図１３は調圧装置上部の縦断面図で、図１２は図１０におけるXII−XII線断面図、図１３は図１０におけるXIII−XIII線断面図である。図１４は弁体が閉じるまで第２の弁のねじ部材を緩めた状態を示す断面図、図１５は第２の弁を第１の弁から取外した状態を示す断面図である。これらの図において、前記図１ないし図８で説明したものと同一もしくは同等の部材については、同一符号を付し詳細な説明は省略する。
【００５７】
この実施の形態による油圧管連結装置４，５は、図９および図１０に示すように、調圧装置３に一体的に設けた右側油圧管連結装置４用の第１の弁６１、左側油圧管連結装置５用の第１の弁６２と、油圧式緩衝器２に設けた可撓性を有する耐圧ホースからなる右側油圧管連結装置４用の油圧管６３、左側油圧管連結装置５用の油圧管６４と、これらの油圧管６３，６４の先端部に設けた右側油圧管連結装置４用の第２の弁６５、左側油圧管連結装置５用の第２の弁６６とから構成している。
なお、車体右側の油圧管連結装置４と車体左側の油圧管連結装置５は同じ構造を採っているので、ここでは車体右側の油圧管連結装置４について説明する。車体右側の油圧管連結装置４に用いる部材に付した符号は、そのまま車体左側の油圧管連結装置５を構成する部材に当てはまる。
【００５８】
車体右側の油圧管連結装置４の第１の弁６１は、図１３ないし図１５に示すように、調圧装置３のシリンダ１３がハウジングを構成するように調圧装置３に一体的に設けている。
この第１の弁６１は、前記シリンダ１３の軸線方向の一端部（図１３においては上端部）で前記軸線方向とは略直交する方向に延在する壁１３ａに弁孔６７を前記軸線方向とは略直交する方向に穿設するとともに、この弁孔６７に支持部材６８を介して柱状の弁体６９を移動自在に装着することによって形成している。
【００５９】
前記弁孔６７は、図１３において右側に位置する一端部に雌ねじ７０を形成するとともに、他端部に栓部材７１を螺着させ、中途部分に前記支持部材６８を保持させている。また、この弁孔６７は、前記支持部材６８と、図において符号７２で示す弁座との間に油通路７３によってシリンダ１３内の右側油圧系油室１７を接続している。弁座７２と雌ねじ７０との間には、後述する第２の弁６５のハウジングを嵌合させるための嵌合部６７ａを形成している。
【００６０】
車体左側の油圧管連結装置５の第１の弁６２においては、図１０に示すように弁孔６７を車体右側の油圧管連結装置４の弁孔６７とは左右方向に対称になるように形成し、図１０および図１２に示すように、弁孔６７と左側油圧系油室１８（図１１参照）との間に横方向に延びる連通路７４を形成し、この連通路７４と、上部シリンダ１２の周壁１２ａにここを貫通するように形成した二つの油通路７５とを介して弁孔６７を左側油圧系油室１８に接続している。
【００６１】
前記弁体６９は、図１３〜図１５において左側に位置する段付きの円柱からなる弁軸７６と、前記弁座７２に当接するシール部材７７を保持する円錐７８と、後述する第２の弁６５の弁体を押圧する円柱からなる押圧片７９とをこの順に並ぶように一体に形成し、前記弁軸７６の小径部７６ａを前記支持部材６８に貫通させ、この支持部材６８を介して弁孔６７の軸心部に軸線方向へ移動自在に支持させている。また、この弁体６９は、前記支持部材６８と前記円錐７８の底面との間に弾装した圧縮コイルばね８０によって閉じる方向（図１３〜図１５において右方向）に付勢されている。
【００６２】
前記支持部材６８は、前記弁軸７６の小径部７６ａが移動自在に嵌合する板部６８ａと、この板部６８ａを弁孔６７の内壁に支持させる３本の脚部６８ｂと、これらの脚部６８ｂどうしの間から突出する３本のばね受け６８ｃとを一体に形成し、弁孔６７内を仕切ることなく弁体６９を支持できる構造を採っている。また、この支持部材６８には、弁体６９を移動自在に支持する機能の他に、弁体６９の移動量を規制する機能をも持たせている。
【００６３】
すなわち、弁体６９が図１４，１５に示す全閉位置から同図において左側に移動して開くときに、前記弁軸７６の小径部７６ａと大径部７６ｂとの境界になる端面７６ｃ（図１４，１５参照）が板部６８ａに当接することによって弁体６９の移動が規制される構造を採っている。
【００６４】
車体右側の油圧管連結装置４の第２の弁６５は、図１３〜図１５に示すように、円筒状のハウジング８１と、このハウジング８１の中空部に形成した内部油通路８２を開閉する弁体８３と、この第２の弁６５を第１の弁６１（調圧装置３のシリンダ１３）に締結させるためのねじ部材８４などから構成している。
【００６５】
前記ハウジング８１は、図１３〜図１５において右側に位置する一端部にかしめ式の接続部材８５を介して油圧管６３の先端部を接続し、他端部に、前記第１の弁６１の弁孔６７における前記嵌合部６７ａに嵌合する相対的に径が小さい円筒８６を一体に形成している。このハウジング８１の外周部にねじ部材８４を回転自在に取付けている。
【００６６】
ねじ部材８４は、前記第１の弁６１の雌ねじ７０に螺着する雄ねじ８７を先端部に形成し、ハウジング８１の外周部に突設したストッパー８１ａによって締込み方向への移動が阻止されている。
【００６７】
ハウジング８１の先端部に形成した前記円筒８６は、先端側の外周部にこの円筒８６と第１の弁６１の弁孔６７との間をシールするためのＯリング８８を装着している。
ハウジング８１における前記円筒８６の基部になる部分には、第１の弁６１と対向する平坦面からなるストッパー面８９を形成している。なお、このストッパー面８９は、前記円筒８６の先端面によって形成することもできる。
【００６８】
第２の弁６５の弁体８３は、第１の弁６１の弁体６９と構造が同一になるように形成し、第１の弁６１に用いるものと同一構造の支持部材６８によってハウジング８１の軸心部に軸線方向へ移動自在に支持させるとともに、圧縮コイルばね９０によって閉じる方向に付勢されている。この弁体８３の弁軸を符号９１で示し、弁軸９１の小径部を９１ａで示し、大径部を９１ｂで示し、小径部９１ａと大径部９１ｂとの境界の端面を９１ｃ（図１４，１５参照）で示し、円錐を９２で示し、押圧片を９３で示し、シール部材を９４で示す。また、第２の弁６５に用いる支持部材６８も第１の弁６１の支持部材６８と同様に、弁体８３を支持する機能の他に弁体８３の移動量を規制する機能をももたせている。
【００６９】
このように構成した油圧管連結装置４，５を備えた緩衝装置１を車体に組み付けるためには、先ず、車体の組立てラインとは別のラインで油圧式緩衝器２，２、調圧装置３をそれぞれ組み立てる。このとき、調圧装置３に左右の油圧管連結装置４，５の第１の弁６１，６２をそれぞれ組付けるとともに、左右の油圧式緩衝器２に油圧管６３，６４を介して油圧管連結装置４，５の第２の弁６５，６６をそれぞれ接続する。
【００７０】
次に、第１の弁６１，６２の雌ねじ７０に第２の弁６５，６６のねじ部材８４を螺合させて第１の弁６１，６２に第２の弁６５，６６を取付ける。ねじ部材８４の締込みは、ねじ部材８４の外周部に形成した工具係合部８４ａ（図１０参照）にスパナ（図示せず）を係合させ、ねじ部材８４を回転させることによって行う。
【００７１】
ねじ部材８４を締込むことによって、第２の弁６５，６６のハウジング８１が第１の弁６１，６２側に移動し、第１の弁６１，６２の弁孔６７にハウジング８１の円筒８６が嵌入する。そして、さらにねじ部材８４を締込むことにより、図１４に示すように、第２の弁６５，６６の弁体８３の押圧片９３が第１の弁６１，６２の弁体６９の押圧片７９に当接し、両弁体６９，８３がそれぞれ圧縮コイルスプリング８０，９０によって弾持された状態でハウジング８１が第１の弁６１，６２側に移動する。
【００７２】
このため、両弁体６９，８３の円錐７８，９２どうしの間隔が変わることなくハウジング８１が第１の弁６１，６２側に移動し、両弁体６９，８３が開くようになる。ハウジング８１は、図１３に示すように、前記ストッパー面８９がシリンダ１３の端面に当接するまで第１の弁６１，６２側に移動する。このようにストッパー面８９がシリンダ１３に当接するまでねじ部材８４を締込むことによって、両弁体６９，８３が全開状態になる。
【００７３】
ねじ部材８４を締付けるときには図示していないトルクレンチを使用する。このトルクレンチの締付けトルク値は、予め定めた締結終了時（弁体全開時）の値に設定しておく。トルクレンチによる締付けが終了した後、ねじ部材８４の端面８４ｂ（図１２，１３参照）とシリンダ１３との間の寸法Ｄを計測する。ストッパー面８９がシリンダ１３に当接し、弁体６９，８３が全開状態になっている場合には、この寸法Ｄが予め定めた寸法に達するようになる。
【００７４】
すなわち、ねじ部材８４の締付けトルクとねじ部材８４の締込量とを上述したように管理することによって、弁体６９，８３が必ず正常に開くように第１の弁６１，６２と第２の弁６５，６６とを連結することができる。
【００７５】
調圧装置３側の二つの第１の弁６１，６２にそれぞれ油圧式緩衝器２側の第２の弁６５，６６を連結することによって、これらの油圧機器の油圧系が一端から他端まで連通する。この状態で油圧系に作動油を注入する。作動油を充填した後、従来通りの手法により油圧式緩衝器の性能検査・減衰力調整を行う。
【００７６】
前記検査・減衰力調整が終了した後、二つの油圧管連結装置４，５の第２の弁６５，６６のねじ部材８４を緩め、第１の弁６１，６２から第２の弁６５，６６を取外す。ねじ部材８４を緩めることによって第２の弁６５，６６のハウジング８１が第１の弁６１，６２から離間する方向に移動し、弁体６９，８３どうしが離間するようになり、図１４に示すように、第１の弁６１，６２の弁孔６７および第２の弁６５，６６のハウジング８１内の内部油通路８２を閉じる。弁体６９，８３が閉じて油圧系が分断された状態でねじ部材８４が第１の弁６１，６２から外れる。
【００７７】
図１５に示すように、第１の弁６１，６２から第２の弁６５，６６を取外すことによって、油圧系が油圧式緩衝器２側と調圧装置３側とに作動油を充填した状態で分離される。そして、油圧式緩衝器２と油圧管６３，６４および第２の弁６５，６６からなる組立体と、調圧装置３と第１の弁６１，６２からなる組立体とを車体の組立てラインで個別に車体に取付ける。
【００７８】
なお、作動油の充填、性能検査・減衰力調整は、調圧装置３に第１の弁６１，６２を組込むとともに、油圧式緩衝器２に油圧管６３，６４を介して第２の弁６５，６６を接続した状態、すなわち、調圧装置３と油圧式緩衝器２が分断されている状態で行うこともできる。この場合には、調圧装置３と油圧式緩衝器２のそれぞれに対して作動油を充填し、性能検査・減衰力調整を実施した後に、油圧式緩衝器２および調圧装置３を車体に組付け、しかる後に第２の弁６５，６６を第１の弁６１，６２に接続する。
【００７９】
油圧式緩衝器２および調圧装置３を車体に取付けた後、油圧式緩衝器２側の油圧管６３，６４に接続した第２の弁６５，６６を調圧装置３側の第１の弁６１，６２に連結する。すなわち、第２の弁６５，６６のねじ部材８４を第１の弁６１，６２の雌ねじに７０螺着させ、注油前の接続手順と同じ手順によってねじ部材８４を締付ける。このときには弁体６９，８３に油圧が作用しており、油圧に抗して弁体６９，８３を開かなければならない。
【００８０】
油圧が作用する弁体６９，８３を簡単に開けることができるように、この油圧管連結装置４，５は、二つの弁体６９，８３どうしが互いに接触する以前にねじ部材８４のねじ部の先端部分を雌ねじ７０に螺合させることができるように形成している。すなわち、ねじ部材８４を雌ねじ７０に螺合させる作業を前記油圧とは無関係に実施することができ、雌ねじ７０に螺合させたねじ部材８４を更に締込むことによって、上述したように油圧が加えられている状態の弁体６９，８３を強制的に開くことができる。
また、この油圧管連結装置４，５は、両弁体６９，８３どうしが互いに接触する以前に、第２の弁６５，６６のＯリング８８によって第１および第２の弁の接続部分がシールされた状態になるように形成している。このため、上述したようにねじ部材８４を締込んで弁体６９，８３が開いたときに作動油が漏洩することはない。
【００８１】
この油圧管連結装置４，５は、油圧式緩衝器２側の油圧と調圧装置３側の油圧とが大きく異なり、二つの弁体６９，８３に加えられる油圧が大きく異なる場合でも、ねじ部材８４を締込むことによって二つの弁体６９，８３が必ず全開になる。これは、弁体６９，８３が開くときの移動量が支持部材６８によって規制され、弁軸７６，９１の小径部７６ａ，９１ａと大径部７６ｂ，９１ｂとの境界になる端面７６ｃ，９１ｃが板部６８ａに当接した後はねじ部材８４を締込むことによって他方の弁体が開くからである。
【００８２】
この実施の形態で示したように油圧管連結装置４，５を形成しても上述した実施の形態を採るときと同等の効果を奏する。
また、この実施の形態による油圧管連結装置４，５は、第１の弁６１，６２と第２の弁６５，６６とを締結することによってこれら両者の弁体６９，８３が油圧に抗して開き、第１の弁６１，６２と第２の弁６５，６６とを分断することによって前記弁体６９，８３が閉じるから、専ら弁体を開閉させる作業を実施することなく、第１の弁６１，６２と第２の弁６５，６６との連結作業・分断作業によって弁体６９，８３が自動的に開閉する。このため、油圧式緩衝器２および調圧装置３を車体に組付けるときや、油圧式緩衝器２を交換するときの作業が簡単になる。
【００８３】
【発明の効果】
以上説明したように本発明によれば、複数の第２の弁を第１の弁に着脱させる作業を一箇所で行うことができるから、作業性が高い油圧式緩衝器用油圧管連結装置を提供することができる。
また、第１の弁は油圧装置に直接支持され、第２の弁は第１の弁に接続することによって第１の弁を介して前記油圧装置に支持されるから、従来に較べてこれら両弁を車体に固定する作業が不要になり、組付工数が削減されてコストダウンを図ることができる。
【００８４】
さらに、前記両弁を車体に固定するためのブラケットが不要になるとともに、車体に固定するのは第２の弁を油圧式緩衝器に接続する油圧管だけでよいから、本発明に係る油圧式緩衝器用油圧管連結装置を使用するために用いるブラケットは、前記油圧管を支えるための相対的に小さな油圧管用ブラケットのみになる。
【００８５】
このため、ブラケットの小型化を図ることができ、ブラケット自体の材料費を低減できるばかりか、このブラケットを他の部材との干渉を避けながら最適な位置に配置し、前記油圧管の管長を最短にすることができるから、コストを低減することができる。
加えて、従来に較べて第１の弁のハウジングが不要になるとともに、第１の弁を油圧装置に接続する油圧管が不要になるから、部品数を低減することができ、コストダウンを図ることができる。
【００８６】
請求項２記載の発明によれば、第１の弁が開閉する油通路と、第２の弁が開閉する油通路とを油圧装置の軸線方向に沿わせて形成することができ、第１の弁と第２の弁とを接続する構造が簡単になる。
【００８７】
このため、第１の弁および第２の弁を油圧装置の軸線方向の一端部にコンパクトに設けることができる。
【００８８】
また、油圧装置の軸線方向の一端部で前記軸線方向とは略直交する方向に延在する壁に第１の弁が設けられ、この壁の外端部に第２の弁が固定されるから、第２の弁を取付けるための座を広く形成することができる。
このため、第２の弁を強固に第１の弁に取付けることができる。
【００８９】
請求項３記載の発明によれば、第１の弁の開閉操作と第２の弁の開閉操作を同一方向から行うことができるから、両弁の開閉作業が簡単になる。
【００９０】
請求項４記載の発明によれば、専ら弁体を開閉させる作業を実施することなく、第１および第２の弁の連結作業・分断作業によって弁体が自動的に開閉する。
このため、第１の弁に対して第２の弁を簡単に着脱することができ、作業性の向上を図ることができる。
【図面の簡単な説明】
【図１】  油圧式緩衝器用油圧管連結装置を備えた緩衝装置の構成を示す図である。
【図２】  調圧装置の平面図である。
【図３】  調圧装置の側面図である。
【図４】  図２におけるIV−IV線断面図である。
【図５】  図２におけるV−V線断面図である。
【図６】  第２の弁の横断面図である。
【図７】  第１の弁の横断面図である。
【図８】  油圧管接続部の他の実施の形態を示す断面図である。
【図９】  油圧式緩衝器用油圧管連結装置を備えた緩衝装置の構成を示す図である。
【図１０】  調圧装置の平面図である。
【図１１】  調圧装置の側面図である。
【図１２】  図１０におけるXII−XII線断面図である。
【図１３】  図１０におけるXIII−XIII線断面図である。
【図１４】  弁体が閉じるまで第２の弁のねじ部材を緩めた状態を示す断面図である。
【図１５】  第２の弁を第１の弁から取外した状態を示す断面図である。
【符号の説明】
２…油圧式緩衝器、３…調圧装置、４，５…油圧管連結装置、２１，２２，６１，６２…第１の弁、２３，２４，６３，６４…油圧管、２５，２６，６５，６６…第２の弁、２７，３８…弁孔、２８，３９，６９，８３…弁体。
【図１】
0004130502.tif 000002
【図２】
0004130502.tif 000003
【図３】
0004130502.tif 000004
【図４】
0004130502.tif 000005
【図５】
0004130502.tif 000006
【図６】
0004130502.tif 000007
【図７】
0004130502.tif 000008
【図８】
0004130502.tif 000009
【図９】
0004130502.tif 000010
【図１０】
0004130502.tif 000011
【図１１】
0004130502.tif 000012
【図１２】
0004130502.tif 000013
【図１３】
0004130502.tif 000014
【図１４】
0004130502.tif 000015
【図１５】
0004130502.tif 000016